(57)【要約】【課題】ヒューズユニットのガタを防止でき、ガタに伴う荷重がバッテリポストの根本に及ぶことを防止できるバッテリーヒューズ構造を提供する。【解決手段】バッテリーヒューズ構造において、バッテリ１１のバッテリポスト２５にバッテリ端子２７を介して固定されるバスバー１７とバスバー１７の少なくとも一部を覆う絶縁保護部材１９とを有するヒューズユニット１５と、絶縁保護部材１９を貫通してヒューズユニット１５とバッテリ１１との隙間６３に後退が規制されて挿入されると共にバッテリ１１の側面３１に貫通先端６９が当接する押圧部材６５と、を備える。【選択図】図３
2019139962.tif 000002
【特許請求の範囲】
【請求項１】
バッテリのバッテリポストにバッテリ端子を介して固定されるバスバーと前記バスバーの少なくとも一部を覆う絶縁保護部材とを有するヒューズユニットと、
前記絶縁保護部材を貫通して前記ヒューズユニットと前記バッテリとの隙間に後退が規制されて挿入されると共に前記バッテリの外表面に接する隙間挿入部材と、
を備えることを特徴とするバッテリーヒューズ構造。
【請求項２】
請求項１に記載のバッテリーヒューズ構造であって、
前記絶縁保護部材が、前記バッテリの上面に対向する上面絶縁保護部と、前記バッテリの側面に対向する側面絶縁保護部とにより断面Ｌ字形状に構成され、
前記隙間挿入部材が、前記側面絶縁保護部を貫通して前記バッテリの側面に貫通先端が当接する押圧部材である
ことを特徴とするバッテリーヒューズ構造。
【請求項３】
請求項２に記載のバッテリーヒューズ構造であって、
前記押圧部材が、前記側面絶縁保護部に設けられた雌ねじに螺合して貫通先端が前記側面に当接され雄ねじ部材である
ことを特徴とするバッテリーヒューズ構造。
【請求項４】
請求項２に記載のバッテリーヒューズ構造であって、
前記押圧部材が、前記側面絶縁保護部に設けられた進退規制部に係合する複数の係合凹凸部を有して貫通先端が前記側面に当接される押圧杆である
ことを特徴とするバッテリーヒューズ構造。
【請求項５】
請求項４に記載のバッテリーヒューズ構造であって、
前記押圧杆は、挿入方向の中央位置で直交する仮想線を境に挿入方向の前後が対称に形成されている
ことを特徴とするバッテリーヒューズ構造。
【請求項６】
請求項１に記載のバッテリーヒューズ構造であって、
前記絶縁保護部材が、前記バッテリの上面に対向する上面絶縁保護部と、前記バッテリの側面に対向する側面絶縁保護部とにより断面Ｌ字形状に構成され、
前記隙間挿入部材が、前記側面絶縁保護部を貫通して前記バッテリの上面と前記上面絶縁保護部との隙間に挿入される先細テーパー形状の楔部材である
ことを特徴とするバッテリーヒューズ構造。
【発明の詳細な説明】
【技術分野】
【０００１】
本発明は、バッテリーヒューズ構造に関する。
【背景技術】
【０００２】
従来のバッテリーヒューズ構造を備えたヒュージブルリンクユニットでは、バッテリターミナルを介してバッテリポストにヒューズユニットが取付けられるタイプが、種々提案されている。このようなヒューズユニットには、突き当て部をバッテリ側面に突き当てることにより、バッテリポストを中心とする回動を規制できるものがある。ところが、ヒューズユニットは、バッテリサイズやバッテリポストの位置によっては突き当て部の突き当て面をバッテリ側面に密接させることができない場合があり、ガタが生じる虞があった。特許文献１には、ピニオンとラックの噛合によりヒューズユニットの突き当て面をバッテリ側面に密接させる技術が開示されている。
【先行技術文献】
【特許文献】
【０００３】
【特許文献１】特開２０１０−１２９３１５号公報
【特許文献２】特開平０６−１６３０２７号公報
【発明の概要】
【発明が解決しようとする課題】
【０００４】
しかしながら、従来技術における突き当て部は、樹脂材料によりヒューズユニットと一体で設けられているため、ヒューズユニットの取り扱い時等に外力の影響で当接面の部分が破損してしまうと、ガタを規制する効果がなくなってしまう可能性がある。ガタが生じると、バッテリポストの根本に悪影響を及ぼす（亀裂が生じる等の）虞もある。一方、ヒューズユニットは、振動に対して強度の高い鋳物製バッテリ端子（例えば特許文献２参照）を使用することも考えられるが、コストが増大してしまう。
【０００５】
本発明は上記状況に鑑みてなされたもので、その目的は、ヒューズユニットのガタを防止でき、ガタに伴う荷重がバッテリポストの根本に及ぶことを防止できるバッテリーヒューズ構造を提供することにある。
【課題を解決するための手段】
【０００６】
本発明に係る上記目的は、下記構成により達成される。
（１）  バッテリのバッテリポストにバッテリ端子を介して固定されるバスバーと前記バスバーの少なくとも一部を覆う絶縁保護部材とを有するヒューズユニットと、前記絶縁保護部材を貫通して前記ヒューズユニットと前記バッテリとの隙間に後退が規制されて挿入されると共に前記バッテリの外表面に接する隙間挿入部材と、を備えることを特徴とするバッテリーヒューズ構造。
【０００７】
上記（１）の構成のバッテリーヒューズ構造によれば、バッテリポストにバスバーが固定されるヒューズユニットは、絶縁保護部材によりバスバーの少なくとも一部分が覆われる。バッテリポストに固定されたヒューズユニットは、絶縁保護部材とバッテリとの間に、隙間が生じる。即ち、ヒューズユニットは、主にバッテリポストに固定された片持ち支持状態となる。そして、ヒューズユニットの絶縁保護部材を貫通した隙間挿入部材は、貫通先端がバッテリの外表面に当接する。隙間挿入部材は、外表面に貫通先端が当接した状態から後退が規制される。ヒューズユニットは、バッテリポストに加えて、隙間挿入部材によってもバッテリの外表面に支持された状態となる。これにより、ヒューズユニットは、バッテリポストのみに固定された片持ち支持状態に比べ、ガタ（振動）が生じにくくなる。また、バッテリポストに及ぶ、ガタに伴う荷重も抑制される。
【０００８】
（２）  上記（１）に記載のバッテリーヒューズ構造であって、前記絶縁保護部材が、前記バッテリの上面に対向する上面絶縁保護部と、前記バッテリの側面に対向する側面絶縁保護部とにより断面Ｌ字形状に構成され、前記隙間挿入部材が、前記側面絶縁保護部を貫通して前記バッテリの側面に貫通先端が当接する押圧部材であることを特徴とするバッテリーヒューズ構造。
【０００９】
上記（２）の構成のバッテリーヒューズ構造によれば、絶縁保護部材が、上面絶縁保護部と側面絶縁保護部とにより断面Ｌ字形状に構成される。側面絶縁保護部には、押圧部材が貫通する。側面絶縁保護部を貫通した押圧部材は、貫通先端がバッテリの側面に当接することで、バッテリの側面から反力を受ける。この反力は、断面Ｌ字形状に構成された絶縁保護部材に作用し、バッテリポストを中心にヒューズユニットを回転させるモーメントとなる。ヒューズユニットは、固定状態において、所定の大きさのモーメントが加えられた状態となる。ヒューズユニットは、反力の作用点と反対端が、バッテリポストに固定されているので、この反力がヒューズユニットの弾性変形により吸収される。ヒューズユニットは、この弾性反発力が内部応力として残るので、ガタがより生じにくくなる。
【００１０】
（３）  上記（２）に記載のバッテリーヒューズ構造であって、前記押圧部材が、前記側面絶縁保護部に設けられた雌ねじに螺合して貫通先端が前記側面に当接される雄ねじ部材であることを特徴とするバッテリーヒューズ構造。
【００１１】
上記（３）の構成のバッテリーヒューズ構造によれば、入手が容易で安価な市販の六角ボルトや蝶ボルト等の雄ねじ部材と、ナット等の雌ねじとを用いて、外表面に接して隙間からの後退が規制される隙間挿入部材を得ることができる。また、雄ねじ部材は、雌ねじとの螺合により軸方向の移動が規制されるので、挿入量の微調整が可能になるとともに、後退規制強度を大きくできる。
【００１２】
（４）  上記（２）に記載のバッテリーヒューズ構造であって、前記押圧部材が、前記側面絶縁保護部に設けられた進退規制部に係合する複数の係合凹凸部を有して貫通先端が前記側面に当接される押圧杆であることを特徴とするバッテリーヒューズ構造。
【００１３】
上記（４）の構成のバッテリーヒューズ構造によれば、押圧杆が側面絶縁保護部を貫通すると、押圧杆の係合凹凸部が、側面絶縁保護部の進退規制部に係合する。進退規制部は、押圧杆の挿入方向前後の移動を規制する。進退規制部は、挿入方向前後に一定の力が加えられると、押圧杆の挿入方向前後の移動規制を解除する。即ち、押圧杆は、節度感（クリック感）を有してヒューズユニットとバッテリとの隙間への挿入が可能となる。進退規制部は、押圧杆の移動規制力が、車両の振動によってもヒューズユニットが移動しない大きさに設定される。従って、押圧杆は、側面絶縁保護部に押し込んで、貫通先端をバッテリの側面に当接させるだけの容易な作業で、ヒューズユニットのガタを抑制できる。
【００１４】
（５）  上記（４）に記載のバッテリーヒューズ構造であって、前記押圧杆は、挿入方向の中央位置で直交する仮想線を境に挿入方向の前後が対称に形成されていることを特徴とするバッテリーヒューズ構造。
【００１５】
上記（５）の構成のバッテリーヒューズ構造によれば、押圧杆は、ヒューズユニットに対し、挿入方向に沿う長手方向両端のどちらからでも取り付けが可能となる。これにより、押圧杆は、ヒューズユニットへの装着作業が容易となる。
【００１６】
（６）  上記（１）に記載のバッテリーヒューズ構造であって、前記絶縁保護部材が、前記バッテリの上面に対向する上面絶縁保護部と、前記バッテリの側面に対向する側面絶縁保護部とにより断面Ｌ字形状に構成され、前記隙間挿入部材が、前記側面絶縁保護部を貫通して前記バッテリの上面と前記上面絶縁保護部との隙間に挿入される先細テーパー形状の楔部材であることを特徴とするバッテリーヒューズ構造。
【００１７】
上記（６）の構成のバッテリーヒューズ構造によれば、絶縁保護部材が、上面絶縁保護部と側面絶縁保護部とにより断面Ｌ字形状に構成される。隙間挿入部材である先細テーパー形状の楔部材は、側面絶縁保護部を貫通して、バッテリの上面と上面絶縁保護部との隙間に挿入される。隙間に圧入された楔部材は、バッテリの上面から反力を受ける。この反力は、断面Ｌ字形状に構成された絶縁保護部材に作用し、バッテリポストを中心にヒューズユニットを回転させるモーメントとなる。ヒューズユニットは、固定状態において、所定の大きさのモーメントが加えられた状態となる。ヒューズユニットは、反力の作用点と反対端が、バッテリポストに固定されているので、この反力がヒューズユニットの弾性変形により吸収される。ヒューズユニットは、この弾性反発力が内部応力として残るので、ガタがより生じにくくなる。
【発明の効果】
【００１８】
本発明に係るバッテリーヒューズ構造によれば、ヒューズユニットのガタを防止でき、ガタに伴う荷重がバッテリポストの根本に及ぶことを防止できる。
【００１９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２０】
【図１】本発明の第１実施形態に係るバッテリーヒューズ構造を有したバッテリ及びヒュージブルリンクユニットの斜視図である。
【図２】図１のユニットカバーをヒューズユニットから外した分解斜視図である。
【図３】図１に示したバッテリ及びヒュージブルリンクユニットの側断面図である。
【図４】本発明の第２実施形態に係るバッテリーヒューズ構造を有したバッテリ及びヒュージブルリンクユニットの分解斜視図である。
【図５】図４に示したバッテリ及びヒュージブルリンクユニットの側断面図である。
【図６】図４に示した押圧杆の斜視図である。
【図７】図５のＡ−Ａ断面図である。
【図８】図７に示した進退規制部の変形例を表す断面図である。
【図９】（ａ）は本発明の第３実施形態に係るバッテリーヒューズ構造を有したバッテリ及びヒューズユニットの要部斜視図、（ｂ）は（ａ）の拡大断面図である。
【図１０】図９に示した隙間挿入部材をヒューズユニットから外した分解斜視図である。
【発明を実施するための形態】
【００２１】
以下、本発明に係る実施形態を図面を参照して説明する。
［第１実施形態］
図１は本発明の第１実施形態に係るバッテリーヒューズ構造を有したバッテリ１１及びヒュージブルリンクユニット１３の斜視図である。
本第１実施形態に係るバッテリーヒューズ構造は、図１に示すように、バスバー１７及び絶縁保護部材１９を有するヒューズユニット１５と、隙間挿入部材２１とを主要な構成として有している。ヒューズユニット１５には、ユニットカバー２３が取り付けられる。ヒューズユニット１５は、ユニットカバー２３が取り付けられることにより、ヒュージブルリンクユニット１３を構成する。
【００２２】
ヒューズユニット１５は、バッテリ１１の正極であるバッテリポスト２５に、バッテリ端子２７を介して固定される。ヒューズユニット１５は、断面Ｌ字状に折れ曲がった形態を有し、バッテリ１１の上面２９と側面３１に沿って配置される。これにより、ヒュージブルリンクユニット１３は、バッテリ１１の周辺スペースに設置される。
【００２３】
図２は図１のユニットカバー２３をヒューズユニット１５から外した分解斜視図、図３は図１に示したバッテリ１１及びヒュージブルリンクユニット１３の側断面図である。
ヒューズユニット１５は、図２及び図３に示すように、導電性金属板であるバスバー１７と、このバスバー１７の外面にインサート樹脂成形によって設けられた絶縁保護部材１９とを備えている。即ち、絶縁保護部材１９は、バスバー１７の少なくとも一部を覆う。バスバー１７は、バッテリ端子２７が接続される給電用接続部３３と、各外部端子が接続される複数の外部用接続部３５及び外部用接続部３７と、給電用接続部３３と各外部用接続部３５及び外部用接続部３７との間に選択的に介在される複数の可溶部（図示せず）とを有する。各可溶部は、それぞれの過電流の通電によって溶断する。
【００２４】
絶縁保護部材１９は、図３に示すように、給電用接続部３３、各外部用接続部３５及び外部用接続部３７、各可溶部を除くバスバー１７の外面をほぼ被覆している。絶縁保護部材１９は、外部用接続部３５を囲むコネクタハウジング部３９が一体に形成されている。コネクタハウジング部３９には、外部の接続コネクタ４１がコネクタ接続される。
【００２５】
ユニットカバー２３は、電気絶縁性で、且つ、アルミニウム粉末が混入された合成樹脂材より形成されている。ユニットカバー２３は、上方からヒューズユニット１５にスライド嵌合によって装着されている。ユニットカバー２３は、上面カバー部４３と、この上面カバー部４３より垂下された側面カバー部４５と、上面カバー部４３及び側面カバー部４５の内面よりそれぞれ突出された熱伝達リブ４７とを備えている。
【００２６】
上面カバー部４３は、ヒューズユニット１５のみならずバッテリ端子２７とバッテリポスト２５を上方より覆っている。上面カバー部４３は、固定面部４９と、固定面部４９にヒンジ部５１を介して連結された蓋部５３とを有する。蓋部５３は、固定面部４９よりバッテリ側に突出している。蓋部５３を開位置にすることによって、バッテリポスト２５及びバッテリ端子２７と給電用接続部３３とを露出させることができる。側面カバー部４５は、ヒューズユニット１５を側方より覆っている。側面カバー部４５は、コネクタハウジング部３９の外周をほぼ完全に覆っている。
【００２７】
熱伝達リブ４７は、放熱シート５５を介してヒューズユニット１５に当接している（図３参照）。放熱シート５５は、ヒューズユニット１５のフラットな外面に面接触している。放熱シート５５は、ユニットカバー２３より熱伝導性に優れた材料、例えばシリコーンゴムより形成されている。
【００２８】
絶縁保護部材１９は、バッテリ１１の上面２９に対向する上面絶縁保護部５７と、バッテリ１１の側面３１に対向する側面絶縁保護部５９とにより断面Ｌ字形状に構成される。上面絶縁保護部５７と側面絶縁保護部５９とは、断面Ｌ字形状の折り曲げ部６１で露出するバスバー１７により連結される。上面絶縁保護部５７と側面絶縁保護部５９とは、相互に係合する係合部（図示せず）を備え、この係合部同士を係合することにより断面Ｌ字形状となって固定される。
【００２９】
隙間挿入部材２１は、絶縁保護部材１９を貫通して、ヒューズユニット１５とバッテリ１１との隙間６３に後退が規制されて挿入される。更に、隙間挿入部材２１は、隙間６３に挿入されることにより、バッテリ１１の外表面に接する。
【００３０】
本第１実施形態において、隙間挿入部材２１は、押圧部材６５である。なお、この隙間挿入部材２１は、押圧部材６５と後述する楔部材６７（図９参照）の総称である。本第１実施形態の押圧部材６５は、側面絶縁保護部５９を貫通して、バッテリ１１の側面３１に貫通先端６９が当接する。
【００３１】
より具体的に、押圧部材６５は、六角ボルト７１や蝶ボルトなどの種々の雄ねじ部材とすることができる。図３に示すように、六角ボルト７１は、側面絶縁保護部５９に埋設されたナット７２により構成された雌ねじに螺合して、貫通先端６９がバッテリ１１の側面３１に当接する。なお、六角ボルト７１は、側面絶縁保護部５９に直接形成されたネジ穴に直接螺合させてもよい。これにより、ナット７２を省略して部品点数を減らすこともできる。
【００３２】
次に、上記した本第１実施形態に係るバッテリーヒューズ構造の作用を説明する。
本第１実施形態に係るバッテリーヒューズ構造では、バッテリポスト２５にヒューズユニット１５のバスバー１７が固定される。ヒューズユニット１５は、絶縁保護部材１９によりバスバー１７の少なくとも一部分が覆われる。バッテリポスト２５に固定されたヒューズユニット１５は、絶縁保護部材１９とバッテリ１１との間に、隙間６３が生じる。即ち、ヒューズユニット１５は、主にバッテリポスト２５に固定された片持ち支持状態となる。
【００３３】
そして、ヒューズユニット１５の絶縁保護部材１９を貫通した押圧部材６５（隙間挿入部材２１）は、貫通先端６９がバッテリ１１の外表面である側面３１に当接する。押圧部材６５は、側面３１に貫通先端６９が当接した状態から後退が規制される。
【００３４】
従って、ヒューズユニット１５は、バッテリポスト２５に加えて、押圧部材６５（隙間挿入部材２１）によってもバッテリ１１の外表面に支持された状態となる。これにより、ヒューズユニット１５は、バッテリポスト２５のみに固定された片持ち支持状態に比べ、ガタ（振動）が生じにくくなる。そして、バッテリポスト２５に及ぶ、ガタに伴う荷重も抑制される。
【００３５】
また、本第１実施形態に係るバッテリーヒューズ構造では、絶縁保護部材１９が、上面絶縁保護部５７と側面絶縁保護部５９とにより断面Ｌ字形状に構成される。側面絶縁保護部５９には、隙間挿入部材２１としての押圧部材６５が貫通する。側面絶縁保護部５９を貫通してナット７２に螺合した押圧部材６５は、貫通先端６９がバッテリ１１の側面３１に当接することで、バッテリ１１の側面３１から反力を受ける。この反力は、断面Ｌ字形状に構成された絶縁保護部材１９に作用し、バッテリポスト２５を中心にヒューズユニット１５を回転させるモーメントとなる。ヒューズユニット１５は、固定状態において、所定の大きさのモーメントが加えられた状態となる。ヒューズユニット１５は、反力の作用点と反対端が、バッテリポスト２５に固定されているので、この反力がヒューズユニット１５の弾性変形により吸収される。ヒューズユニット１５は、この弾性変形により生じた弾性反発力が内部応力として残るので、ガタがより生じにくくなる。
【００３６】
更に、本第１実施形態に係るバッテリーヒューズ構造では、押圧部材６５が、側面絶縁保護部５９に埋設された雌ねじとしてのナット７２に螺合する六角ボルト７１からなる。従って、本第１実施形態に係るバッテリーヒューズ構造では、入手が容易で安価な市販の六角ボルト７１と、ナット７２を用いて、外表面に接して隙間６３からの後退が規制される押圧部材６５（隙間挿入部材２１）を得ることができる。また、雄ねじ部材である六角ボルト７１は、ナット７２との螺合により軸方向の移動が規制されるので、挿入量の容易な微調整が可能になるとともに、後退規制強度を大きくできる。
【００３７】
［第２実施形態］
次に、本発明の第２実施形態を説明する。
図４は本発明の第２実施形態に係るバッテリーヒューズ構造を有したバッテリ１１及びヒュージブルリンクユニット７３の分解斜視図、図５は図４に示したバッテリ１１及びヒュージブルリンクユニット７３の側断面図である。なお、本第２実施形態においては上記第１実施形態で図示した部材と同一の部材に同一の符号を付して重複する説明は省略する。
本第２実施形態に係るバッテリーヒューズ構造は、上記第１実施形態おける隙間挿入部材２１としての押圧部材６５である六角ボルト７１が、押圧杆７５となる。押圧杆７５は、軸線方向に直交する横断面形状がＴ字形状に形成される。
【００３８】
隙間挿入部材２１としての押圧杆７５は、図５に示すように、軸線方向で側面絶縁保護部５９を貫通する。従って、側面絶縁保護部５９には、押圧部材６５である押圧杆７５の横断面形状と同じ断面Ｔ字形状の貫通穴７７が穿設されている。
【００３９】
図６は図４に示した押圧杆７５の斜視図、図７は図５のＡ−Ａ断面図である。
押圧杆７５は、図６に示すように、挿入方向に長い長方形の上面板部７９を有する。この上面板部７９の下面中央には、上面板部７９に直交して垂下され、上面板部７９の長手方向に延在する脚板部８１が一体に形成される。押圧杆７５は、これら上面板部７９と脚板部８１とにより、挿入方向に直交する横断面形状がＴ字形状となっている。
【００４０】
押圧杆７５は、脚板部８１の両側面に、複数の係合凹凸部８３が挿入方向に並べて設けられている。この係合凹凸部８３は、側面絶縁保護部５９に設けられた進退規制部８５（図７参照）に係合する。押圧杆７５は、係合凹凸部８３が進退規制部８５に係合された状態で貫通先端８２がバッテリ１１の側面３１に当接する。
【００４１】
また、この押圧杆７５は、挿入方向の中央位置で直交する仮想線を境に、挿入方向の前後が対称に形成されている。即ち、上面板部７９及び脚板部８１は、長方体で形成されている。
【００４２】
進退規制部８５は、図７に示すように、側面絶縁保護部５９の貫通穴７７において、側面絶縁保護部５９と一体に形成することができる。例えば、進退規制部８５は、押圧杆７５に形成した係合凹凸部８３の凹部８７に進入する爪状突起８９とすることができる。樹脂材料により側面絶縁保護部５９と一体に形成された爪状突起８９は、弾性変形することにより、凸部９１を乗り越えて隣接の凹部８７に係合する。これにより、進退規制部８５は、押圧杆７５の挿入方向前後に一定の力が加えられると、押圧杆７５の挿入方向前後の移動規制を解除する。
【００４３】
図８は図７に示した進退規制部８５の変形例を表す断面図である。
本第２実施形態に係る進退規制部８５は、図７に示した爪状突起８９に限定されない。この他、進退規制部８５は、図８に示すように、側面絶縁保護部５９の貫通穴７７にインサート樹脂成形によって設けた金属製等の係合バネ９３で構成してもよい。係合バネ９３は、例えば環状やＵ字形状に形成することで、内側の縁部が押圧杆７５の両側面の係合凹凸部８３に係合することができる。
【００４４】
次に、上記した第２実施形態に係るバッテリーヒューズ構造の作用を説明する。
本第２実施形態に係るバッテリーヒューズ構造では、押圧杆７５が側面絶縁保護部５９の貫通穴７７を貫通すると、押圧杆７５の係合凹凸部８３が、側面絶縁保護部５９の進退規制部８５に係合する。進退規制部８５は、押圧杆７５の挿入方向前後の移動を規制する。
【００４５】
進退規制部８５は、挿入方向前後に一定の力が加えられると、押圧杆７５の挿入方向前後の移動規制を解除する。即ち、押圧杆７５は、節度感（クリック感）を有してヒューズユニット１５とバッテリ１１との隙間６３への挿入が可能となる。進退規制部８５は、押圧杆７５の移動規制力が、車両の振動によってもヒューズユニット１５が移動しない大きさに設定される。従って、押圧杆７５は、側面絶縁保護部５９に押し込んで、貫通先端８２をバッテリ１１の側面３１に当接させるだけの容易な作業で、ヒューズユニット１５のガタを抑制できる。
【００４６】
また、本第２実施形態に係るバッテリーヒューズ構造において、押圧杆７５は、挿入方向の中央位置で直交する仮想線を境に、挿入方向の前後が対称に形成されている。このため、押圧杆７５は、ヒューズユニット１５に対し、挿入方向に沿う長手方向両端のどちらからでも取り付けが可能となる。これにより、押圧杆７５は、ヒューズユニット１５への装着作業が容易となる。
【００４７】
［第３実施形態］
次に、本発明の第３実施形態を説明する。
図９の（ａ），（ｂ）は本発明の第３実施形態に係るバッテリーヒューズ構造を有したバッテリ１１及びヒューズユニット９５の要部斜視図及び拡大断面図、図１０は図９に示したバッテリーヒューズ構造の要部分解斜視図である。なお、本第３実施形態においては上記第１実施形態で図示した部材と同一の部材に同一の符号を付して重複する説明は省略する。
本第３実施形態に係るバッテリーヒューズ構造は、上記第２実施形態における隙間挿入部材２１としての押圧部材６５（押圧杆７５）が、側面絶縁保護部５９を貫通して、バッテリ１１の上面２９と上面絶縁保護部５７との隙間９７に挿入される楔部材６７となる。
【００４８】
隙間挿入部材２１としての楔部材６７は、図１０に示すように、挿入方向に直交する横断面形状がＴ字形状に形成される。楔部材６７は、挿入方向に長い長方形の上面板部７９を有する。上面板部７９の下面中央には、上面板部７９に直交して垂下され、上面板部７９の長手方向に延在する脚板部９９が一体に形成される。楔部材６７は、これら上面板部７９と脚板部９９とにより、挿入方向に直交する横断面形状がＴ字形状となっている。脚板部９９は、上面板部７９からの距離Ｈが、挿入方向に向かって徐々に小さく形成される。即ち、楔部材６７は、この脚板部９９の形状により、先細テーパー形状となっている。
【００４９】
側面絶縁保護部５９には、楔部材６７を貫通させる貫通穴１０１が形成される。貫通穴１０１は、楔部材６７の挿入方向後端面７０のＴ字形状に略一致して楔部材６７を係止可能な大きさで形成される。これにより、楔部材６７は、貫通穴１０１から挿入方向への脱落が規制されている。
【００５０】
次に、上記した第３実施形態に係るバッテリーヒューズ構造の作用を説明する。
本第３実施形態に係るバッテリーヒューズ構造では、絶縁保護部材１９が、上面絶縁保護部５７と側面絶縁保護部５９とにより断面Ｌ字形状に構成される。そして、隙間挿入部材２１である先細テーパー形状の楔部材６７は、側面絶縁保護部５９を貫通して、バッテリ１１の上面２９と上面絶縁保護部５７との隙間９７に挿入される。隙間９７に圧入された楔部材６７は、バッテリ１１の上面２９から反力を受ける。この反力は、断面Ｌ字形状に構成された絶縁保護部材１９に作用し、バッテリポスト２５を中心にヒューズユニット９５を回転させるモーメントとなる。
【００５１】
ヒューズユニット９５は、固定状態において、所定の大きさのモーメントが加えられた状態となる。ヒューズユニット９５は、反力の作用点と反対端が、バッテリポスト２５に固定されているので、この反力がヒューズユニット９５の弾性変形により吸収される。ヒューズユニット９５は、この弾性反発力が内部応力として残るので、ガタがより生じにくくなる。
【００５２】
従って、上記した各実施形態に係るバッテリーヒューズ構造によれば、ヒューズユニット１５（９５）のガタを防止でき、ガタに伴う荷重がバッテリポスト２５の根本に及ぶことを防止できる。
【００５３】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００５４】
ここで、上述した本発明に係るバッテリーヒューズ構造の実施形態の特徴をそれぞれ以下［１］〜［６］に簡潔に纏めて列記する。
［１］  バッテリ（１１）のバッテリポスト（２５）にバッテリ端子（２７）を介して固定されるバスバー（１７）と前記バスバーの少なくとも一部を覆う絶縁保護部材（１９）とを有するヒューズユニット（１５，９５）と、
前記絶縁保護部材（１９）を貫通して前記ヒューズユニット（１５，９５）と前記バッテリ（１１）との隙間（６３，９７）に後退が規制されて挿入されると共に前記バッテリ（１１）の外表面（上面２９、側面３１）に接する隙間挿入部材（２１）と、
を備えることを特徴とするバッテリーヒューズ構造。
［２］  上記［１］に記載のバッテリーヒューズ構造であって、
前記絶縁保護部材（１９）が、前記バッテリ（１１）の上面（２９）に対向する上面絶縁保護部（５７）と、前記バッテリ（１１）の側面（３１）に対向する側面絶縁保護部（５９）とにより断面Ｌ字形状に構成され、
前記隙間挿入部材（２１）が、前記側面絶縁保護部（５９）を貫通して前記バッテリ（１１）の側面（３１）に貫通先端（６９）が当接する押圧部材（６５）である
ことを特徴とするバッテリーヒューズ構造。
［３］  上記［２］に記載のバッテリーヒューズ構造であって、
前記押圧部材（６５）が、前記側面絶縁保護部（５９）に設けられた雌ねじ（ナット７２）に螺合して貫通先端（６９）が前記側面（３１）に当接される雄ねじ部材（六角ボルト７１）である
ことを特徴とするバッテリーヒューズ構造。
［４］  上記［２］に記載のバッテリーヒューズ構造であって、
前記押圧部材（６５）が、前記側面絶縁保護部（５９）に設けられた進退規制部（８５）に係合する複数の係合凹凸部（８３）を有して貫通先端（８２）が前記側面（３１）に当接される押圧杆（７５）である
ことを特徴とするバッテリーヒューズ構造。
［５］  上記［４］に記載のバッテリーヒューズ構造であって、
前記押圧杆（７５）は、挿入方向の中央位置で直交する仮想線を境に挿入方向の前後が対称に形成されている
ことを特徴とするバッテリーヒューズ構造。
［６］  上記［１］に記載のバッテリーヒューズ構造であって、
前記絶縁保護部材（１９）が、前記バッテリ（１１）の上面（２９）に対向する上面絶縁保護部（５７）と、前記バッテリ（１１）の側面（３１）に対向する側面絶縁保護部（５９）とにより断面Ｌ字形状に構成され、
前記隙間挿入部材（２１）が、前記側面絶縁保護部（５９）を貫通して前記バッテリ（１１）の上面（２９）と前記上面絶縁保護部（５７）との隙間（９７）に挿入される先細テーパー形状の楔部材（６７）である
ことを特徴とするバッテリーヒューズ構造。
【符号の説明】
【００５５】
１１…バッテリ
１３…ヒュージブルリンクユニット
１５…ヒューズユニット
１７…バスバー
１９…絶縁保護部材
２１…隙間挿入部材
２５…バッテリポスト
２７…バッテリ端子
２９…上面（外表面）
３１…側面（外表面）
５７…上面絶縁保護部
５９…側面絶縁保護部
６３…隙間
６５…押圧部材（隙間挿入部材）
６７…楔部材（隙間挿入部材）
６９…貫通先端
７１…六角ボルト（押圧部材）
７２…ナット（雌ねじ）
７５…押圧杆（押圧部材）
８３…係合凹凸部
８５…進退規制部
９７…隙間
【図１】
2019139962.tif 000003
【図２】
2019139962.tif 000004
【図３】
2019139962.tif 000005
【図４】
2019139962.tif 000006
【図５】
2019139962.tif 000007
【図６】
2019139962.tif 000008
【図７】
2019139962.tif 000009
【図８】
2019139962.tif 000010
【図９】
2019139962.tif 000011
【図１０】
2019139962.tif 000012